(57)【要約】【課題】トレイ開閉時にトレイが移動する軌跡の設定の自由度を高めて、より小型の筐体を提供することにある。【解決手段】  光ファイバ余長収納トレイをベース部材のベース面に対して積層する光ファイバ余長収納トレイの積層構造であって、  前記ベース部材は案内部を有するレール部材を備え、前記光ファイバ余長収納トレイは前記レール部材が挿通される挿通部を備え、前記光ファイバ余長収納トレイの前記挿通部は前記案内部上を移動可能に前記レール部材に挿通されて積層され、前記レール部材は、前記ベース部材の領域外へ延びる領域外部分を備え、前記領域外部分は前記ベース部材の領域内に移動して収納されることを特徴とする。【選択図】なし【特許請求の範囲】
【請求項１】
光ファイバ余長収納トレイをベース部材のベース面に対して積層する光ファイバ余長収納トレイの積層構造であって、
前記ベース部材は案内部を有するレール部材を備え、前記光ファイバ余長収納トレイは前記レール部材が挿通される挿通部を備え、前記光ファイバ余長収納トレイの前記挿通部は前記案内部上を移動可能に前記レール部材に挿通されて積層され、前記レール部材は、前記ベース部材の領域外へ延びる領域外部分を備え、前記領域外部分は前記ベース部材の領域内に移動して収納されることを特徴とする光ファイバ余長収納トレイの積層構造。
【請求項２】
請求項１に記載の光ファイバ余長収納トレイの積層構造であって、
前記レール部材は、前記挿通部を前記ベース面から略垂直な方向に案内する垂直案内部を備えることを特徴とする光ファイバ余長収納トレイの積層構造。
【請求項３】
請求項１または２に記載の光ファイバ余長収納トレイの積層構造であって、
前記レール部材の少なくとも１部は、前記ベース部材のベース面に略垂直な軸周りに回動して前記領域外部分が前記ベース部材の領域内に収納されることを特徴とする光ファイバ余長収納トレイの積層構造。
【請求項４】
請求項１または２に記載の光ファイバ余長収納トレイの積層構造であって、前記レール部材の少なくとも１部は前記ベース面と略平行な軸回りに回動して前記領域外部分が前記ベース部材の領域内に収納されることを特徴とする光ファイバ余長収納トレイの積層構造。
【請求項５】
請求項１から４いずれか一つに記載の光ファイバ余長収納トレイの積層構造であって、前記レール部材は、前記ベース面に略垂直な軸に沿って延びたＺ軸部、Ｚ軸部に対して直角に曲げた後真直ぐ延伸されたＸ軸部、および、Ｘ軸部に対してさらに直角に曲げた後真直ぐに延伸されたＹ軸部および、これと対称形となるように、設けられた一対のクランク状の部材で構成されることを特徴とする光ファイバ余長収納トレイの積層構造。
【請求項６】
請求項１から４いずれか一つに記載の光ファイバ余長収納トレイの積層構造であって、前記光ファイバ余長収納トレイは一端と他端とで厚さが異なり、前記挿通部はトレイの薄い側の一端に設けられたことを特徴とする光ファイバ余長収納トレイの積層構造。
【発明の詳細な説明】
【技術分野】
【０００１】
本発明は、光通信等に用いられる光ファイバ余長を収納するトレイの積層構造に関する。
【背景技術】
【０００２】
従来より、光ファイバケーブルの分岐、引き込み、接続などを行う場合、ケーブルの心線相互を接続すると共に、ケーブル心線の余長分を収納するための心線接続余長収納ケースが用いられている。このケースは、トレイ本体に心線を導出入する部分となる心線導出入部と、その心線導出入部から導出入させる幹線用光ファイバケーブルから引き出された光ファイバ心線同士あるいは分岐用光ファイバケーブルから引き出された心線とを接続するコネクタ等の接続部が収納されるコネクタ収納部と、さらに接続された心線の余長部分を巻回して保護収納する心線余長収納部とを備えたものが知られている。
【０００３】
ところで、光ファイバの余長は数心ごとに光ファイバ余長収納トレイ（以下トレイと呼ぶ）に収納される。多心ファイバの場合には、複数のトレイが積層されて筐体内に配置される。従来より、トレイ内のメンテナンス作業、光ファイバケーブルの接続や切替作業、分岐接続作業を容易にならしめるため、各トレイが分離可能に設計されている。
【０００４】
特開２０００−１２１８４０号公報には、収納トレイ同士をヒンジを介して積層し、積層した収納トレイをクロージャ内に収容する発明が記載されている。
【特許文献１】特開２０００−１２１８４０号公報
【発明の開示】
【発明が解決しようとする課題】
【０００５】
前記の従来のトレイにおいては、各トレイはノートを開けるように、持ち開き可能に作製されている。しかし、この場合トレイ開閉の支点が、トレイとして本来必要な余長収納トレイの領域外に固定的に存在している。このため、クロージャ内にトレイの開閉支点を収容するためのスペースが必要となりクロージャの小型化に際しては制約となる。また、トレイ開閉時に移動するトレイの軌道（軌跡）は開閉支点を中心とする円運動に限定されるため設計の自由度が少なくクロージャの小型化に対応できない。
【０００６】
従って、本発明は、トレイ開閉時にトレイが移動する自由度を高めて、より小型のクロージャを提供することにある。
【課題を解決するための手段】
【０００７】
前記課題を解決するために、本発明の第１の態様は、光ファイバ余長収納トレイをベース部材のベース面に対して積層する光ファイバ余長収納トレイの積層構造であって、
前記ベース部材は案内部を有するレール部材を備え、前記光ファイバ余長収納トレイは前記レール部材が挿通される挿通部を備え、前記光ファイバ余長収納トレイの前記挿通部は前記案内部上を移動可能に前記レール部材に挿通されて積層され、前記レール部材は、前記ベース部材の領域外へ延びる領域外部分を備え、前記領域外部分は前記ベース部材の領域内に移動して収納されることを特徴とする光ファイバ余長収納トレイの積層構造である。
【０００８】
本発明の第２の態様は、請求項１に記載の光ファイバ余長収納トレイの積層構造であって、
前記レール部材は、前記挿通部を前記ベース面から略垂直な方向に案内する垂直案内部を備えることを特徴とする光ファイバ余長収納トレイの積層構造である。
【０００９】
本発明の第３の態様は、請求項１または２に記載の光ファイバ余長収納トレイの積層構造であって、  前記レール部材の少なくとも１部は、前記ベース部材のベース面に略垂直な軸周りに回動して前記領域外部分が前記ベース部材の領域内に収納されることを特徴とする光ファイバ余長収納トレイの積層構造である。
【００１０】
本発明の第４の態様は、請求項１または２に記載の光ファイバ余長収納トレイの積層構造であって、前記レール部材の少なくとも１部は前記ベース面と略平行な軸回りに回動して前記領域外部分が前記ベース部材の領域内に収納されることを特徴とする光ファイバ余長収納トレイの積層構造である。
【００１１】
本発明の第５の態様は、請求項１から４いずれか一つに記載の光ファイバ余長収納トレイの積層構造であって、前記レール部材は、前記ベース面に略垂直な軸に沿って延びたＺ軸部、Ｚ軸部に対して直角に曲げた後真直ぐ延伸されたＸ軸部、および、Ｘ軸部に対してさらに直角に曲げた後真直ぐに延伸されたＹ軸部および、これと対称形となるように、設けられた一対のクランク状の部材で構成されることを特徴とする光ファイバ余長収納トレイの積層構造である。
【００１２】
本発明の第６の態様は、請求項１から４いずれか一つに記載の光ファイバ余長収納トレイの積層構造であって、前記光ファイバ余長収納トレイは一端と他端とで厚さが異なり、前記挿通部はトレイの薄い側の一端に設けられたことを特徴とする光ファイバ余長収納トレイの積層構造である。
【発明の効果】
【００１３】
本発明の第１の態様によれば、レール部材がベース部材の領域外まで延びる領域外部分を備えるので、収納トレイをベース部材の領域外、あるいは領域外近傍まで案内できる。このため各トレイを分離して光ファイバケーブルの接続や切替作業、分岐接続作業を行う際の作業性向上に資することができるとともに、レール部材の領域外部分を移動してベース部材の領域内に収納できるので、作業時以外の収納トレイ収容時にはコンパクトな形状にすることができる。また、収納トレイはレール部材の案内部上を移動するので、その軌跡は円運動に限定されることなく、案内部の形状いかんで適宜設定できるのでクロージャ設計の自由度が向上し小型化に資することができる。
【００１４】
本発明の第２の態様によれば、レール部材が収納トレイの挿通部をベース面から略垂直に案内する垂直案内部を備えるので、ベース面近傍での収納トレイの軌跡を確保するためのスペースは最小限で済み、クロージャの小型化に資することができる。
【００１５】
本発明の第３の態様によれば、レール部材の領域外部分はベース部材のベース面に略垂直な軸回りの回動によりベース部材の領域内への移動が達成される。
【００１６】
本発明の第４の態様によれば、レール部材の領域外部分はベース部材のベース面に略水平な軸回りの回動によりベース部材の領域内への移動が達成される。
【００１７】
本発明の第５の態様によれば、例えば棒状の材料を折り曲げることでレール部材を構成できるのでレール部材を低コストで構成することができる。また、この場合は、レール部材の領域外部分はベース部材のベース面に略垂直な軸回りに回動することも容易である。
【００１８】
さらに例えば全ての収納トレイの挿通部がＺ軸部に位置して積層されている収容状態から、所定の収納トレイの挿通部をＸ軸部上に移動した分離状態にする際にＸ軸部上に移動された収納トレイに対して、レール部材のＹ軸部は、トレイの脱落防止に効果がある。また、前記の収容状態においてレール部材のＸ軸部およびＹ軸部は、トレイの背面に沿っているので、トレイの転倒防止機能となる。
【００１９】
本発明の第６の態様によれば、Ｚ軸部およびＸ軸部はトレイ厚の薄い側に対応する長さがあれば良いので短くすることが可能である。これにより、収納トレイを例えば収容状態から分離状態に移動する場合に移動するトレイの距離が短くてすむので余長の移動が少なく、回線への影響も低減する。
【発明を実施するための最良の形態】
【００２０】
図１（ａ）により、本発明のレール部材１を説明する。レール部材１は、ベース板に回動可能に設けられる接続部３から、真直ぐに延びたＺ軸部５、Ｚ軸部５に対して直角に曲げた後真直ぐ延伸されたＸ軸部７、および、Ｘ軸部７に対してさらに直角に曲げた後真直ぐに延伸されたＹ軸部９および、これと対称形となるように、ベース板に回動可能に設けられる接続部１３から、真直ぐに延びたＺ軸部１５、Ｚ軸部１５に対して直角に曲げた後真直ぐ延伸されたＸ軸部１７、および、Ｘ軸部１７に対してさらに直角に曲げた後真直ぐに延伸されたＹ軸部１９を備える１組のクランク状の部材で構成される。
【００２１】
レール部材１は、一対の対称形状の部材で構成され、それぞれベース板に回転可能に設けられる。図１（ａ）の矢印で示すように、レール部材は、Ｚ軸部５、１５回りに回動可能である。図１（ｂ）には、Ｚ軸部５、１５周りに１８０°回動させてＹ軸部９、１９が正面位置の状態を示した。
【００２２】
図２（ａ）には、１組のレール部材をベース板２１に回動可能に設けた例の平面図を示した。図２（ａ）には、レール部材のＸ軸部７、１７及びＹ軸部９、１９が平面図上で示されている。図２（ｂ）には、矢印で示すように、それぞれＺ軸部回りに平面図右手のレール部材を時計方向に１８０°、平面図左手のレール部材を反時計方向に１８０°回転させた状態を示した。
【００２３】
図３（ａ）は、筐体２３のベース板２１に回動可能に設けられたレール部材の側面図を示した。レール部材は、ベース板２１に例えば回動可能な接続部３、１３により回動可能に設けられる。また、レール部材のＸ軸部７、１７およびＹ軸部９、１９が筐体２３の先端面２９から離れた位置に位置するように設けられる。この理由は、レール部材が回動時先端面に接触しないようにすることが必要なためと、後述のトレイをレール部材に挿通させ、レール部材で保持する場合に接触しないようにするためである。
【００２４】
図３（ａ）の状態においては、レール部材のＸ軸部７、１７及びＹ軸部９、１９の一部はベース部材である筐体２３の領域外に位置している。回動可能な接続部３、１３は例えばベース板２１に設けた穴に適宜クリアランスを設けてレール部材のＺ軸側端を挿入し、止め輪などでＺ軸方向の動きを制限することにより達成できる。
【００２５】
図３（ｂ）は、筐体２３のベース板２１に回動可能に設けられたレール部材を筐体内に仕舞い込み、且つ蓋２５を閉じた状態の側面図を示した。ベース板２１に回動手段２７により回動可能に設けられたレール部材は、図３（ａ）に比べて、領域外に位置していたＸ軸部７、１７及びＹ軸部９、１９の一部が１８０°反転されて筐体２３内に仕舞い込まれた状態となっている。
【００２６】
図４（ａ）には、レール部材のＺ軸部に複数のトレイ３１を挿通させて、筐体２３の蓋をしめた状態の側面図を示した。複数のトレイ３１の厚みの薄い側が、レール部材のＺ軸部で保持・積層されている。なお、レール部材にトレイ３１を挿通する際は、レール部材を接続部３から一端取り外し、例えばＺ軸部側からトレイ３１を挿通させた後にレール部材を接続部３に取付ける。
【００２７】
図４（ｂ）には、筐体２３の蓋２５を取り去って、複数のトレイ３１を筐体２３の外に出した状態を示した。この場合、複数のトレイ３１をレール部材に保持・積層した状態で、レール部材のＺ軸部５，１５の軸周りに１８０°回転させて、筐体外部に拡張させる。すると、複数のトレイ３１をレール部材のＸ軸部７，１７に挿通させた状態で筐体外部に案内される。このようにレール部材がベース部材の領域外に延びる領域外部分を備えることで、トレイ３１が筐体２３の領域外あるいは領域外近傍に案内されるため、各トレイ３１を分離してトレイ３１内の作業を行う場合の作業性が向上する。
【００２８】
なお、レール部材のＸ軸部７、１７の長さは極力短くすることが望ましい。理由は移動するトイレの距離が短くてすむので余長の移動の少なく、回線への影響も低減するからである。
【００２９】
（下層トレイを含む）複数のトレイ３１はレール部材のＹ軸部９、１９で保持されるため、複数のトレイ３１がレール部材か外れて抜け去ることはない。すなわちレール部材のＹ軸部は、トレイの脱落防止に効果がある。なお、脱落防止の観点からは必ずしもクランク状（Ｙ軸状）でなくとも良く、大径部にしても良い。
【００３０】
本発明では、レール部材のＸ軸部およびＹ軸部は、トレイの収容時はトレイの背面に沿っているので、トレイの転倒防止機能となる。転落防止の観点からは上述の大径部よりもＹ軸状の方が好適である。
【００３１】
本発明では、トレイ厚の薄い側を保持・積層することが望ましい。この理由は、移動するトイレの距離が短くてすむので余長の移動が少なく、回線への影響も低減するからである。
【００３２】
本発明では、レール部材が回転するので、筐体内のスペースを小さくできる。すなわち、トレイを移動させるための軌道に自由度があるので筐体設計の自由度も上がり、結果として小型化が可能となる。
【００３３】
また、上述の態様ではレール部材全体がＺ軸回りに回動したが、図５に示すようにレール部材の途中から回動するものであってもよい。あるいは、回動部を設けず、可撓性のある部材でレール部材を構成し、領域外部分を塑性変形にとりベース部材の領域内に移動するものであってもよい。
【００３４】
さらに回動の軌跡はＺ軸（ベース部材と略垂直方向）回りに限られず、図６に示すようＸ軸（ベース部材と略水平方向）回りであってもよい。レール部材は棒状のものに限られず図７に示すように板状あるいは矩形状など種々のものが適用可能である。
【００３５】
さらに、収納トレイを案内する軌跡はベース部材から略垂直に案内するものの他、図８に示すように、円弧状などに案内するものであってもよいがハッチ部のスペース５０が無駄になる場合があるため、まずはベース部材から略垂直に案内するのが好ましい。
【産業上の利用可能性】
【００３６】
通信ケーブル、特に光ファイバ心線を有する光ファイバケーブルの接続部を保護し、心線余長を収納する筐体の省スペース化に利用できる。
【図面の簡単な説明】
【００３７】
【図１】本発明に係るレール部材である。
【図２】本発明に係るレール部材をベース板に取り付けた例である。
【図３】本発明に係るレール部材を筐体に設けた例である。
【図４】本発明に係るレール部材にトレイを保持・積層させた筐体の例である。
【図５】本発明に係るレール部材である。
【図６】本発明に係るレール部材である。
【図７】本発明に係るレール部材である。
【図８】本発明に係るレール部材である。
【符号の説明】
【００３８】
１    レール部材
３    接続部
５    Ｚ軸部
７    Ｘ軸部
９    Ｙ軸部
１３    接続部
１５    Ｚ軸部
１７    Ｘ軸部
１９    Ｙ軸部
２１    ベース板
２３    筐体
２５    蓋
２７    回動手段
２９    先端面
３１    トレイ
５０    スペース
【図１】
2005326563.tif 000002
【図２】
2005326563.tif 000003
【図３】
2005326563.tif 000004
【図４】
2005326563.tif 000005
【図５】
2005326563.tif 000006
【図６】
2005326563.tif 000007
【図７】
2005326563.tif 000008
【図８】
2005326563.tif 000009